(57)【要約】      （修正有）【課題】カンのクリトップにゆびが入るぐらい上げてやるワッパ具を付けたクリトップを提供する。【解決手段】イ）カン３の上部についているクリトップ２に、プラスチック性（ストロー）板、アルミ性板のクリトップおこし１を取り付ける。ロ）クリトップおこし１のゆびかけ５にゆびを入れて直角ぐらいにおこしてひっぱり上げて、クリトップ２側の丸みゆびかけ５′を、ゆびが入るぐらいに上げてのみ口をあける。ハ）クリトップおこし１の接合部４と、ゆびかけ接合部４′を接着済、リベット、プレスなどで接合するよう設ける。ニ）クリップおこし１の片方をなくした、丸みゆびかけ５′でつつみ接合部４をおりこんで、まきこんで接着済、リベットどめか、先端部をおりこんでプレスで固定接合するよう設ける。【選択図】図９
0003109932.tif 000002
【実用新案登録請求の範囲】
【請求項１】
イ）カン（３）の上部に付いているクリトップ（２）に、クリトップおこし（１）を設ける。
ロ）クリトップ（２）側の丸みゆびかけ（５′）と、クリトップおこし（１）側のゆびかけ（５）を設ける。
ハ）クリトップおこし（１）にゆびかけ接合部（４′）、接合部（４）を設ける。
【請求項２】
イ）クリトップおこし（１）の片方をなくし、丸みゆびかけ（５′）の接合部（４）でクリトップ（２）をつつみ接合した請求項１のクリトップおこし。
ロ）図面中、図７、図８、です。
【請求項３】
イ）クリトップ（２）とクリトップおこし（１）を一体化プレスするよう設けた、請求項１のクリトップおこし。
ロ）図面中、図９、図１０。
【考案の詳細な説明】
【考案の詳細な説明】
〔産業上の利用分野〕
【０００１】この考案は、カンのあけるクリトップにクリトップおこしを付けた、クリトップおこしに関するものである。
〔従来の技術〕
【０００２】従来、カンのクリトップはゆびがはいらず、おこしずらくて、大人の私でもたいへんで、女性、子供たちもたいへんだと思います。
〔考案が解決しようとする課題点〕
【０００３】本案は、その欠点を除いて、クリトップをらくにおこして、のみ口をあけられるようにするクリトップを開発しようとするものである。
〔課題を解決するための手段〕
【０００４】いまその解決手段を図面に追いながら説明すれば、
イ）カン（３）の上部についているクリトップ（２）に、プラスチック性（ストロー）板、アルミ性板のクリトップおこしを取り付ける。
ロ）クリトップおこし（１）のゆびかけ（５）にゆびを入れて直角ぐらいにおこしてひっぱり上げて、クリトップ（２）側の丸みゆびかけ（５′）を、ゆびが入るぐらいに上げてのみ口をあける。
ハ）クリトップおこし（１）の接合部（４）と、ゆびかけ接合部（４′）を、接着済、リベット、プレスなどで接合するよう設ける。
ニ）クリトップおこし（１）の片方をなくした、丸みゆびかけ（５′）でつつみ、接合部（４）をおりこんでまきこんで接着済、リベットどめか、先端部をおりこんでプレスで固定接合するよう設ける。
ホ）クリトップ（２）とクリトップおこし（１）を、一体化にし、丸みゆびかけ（５′）部でおりたたみ、ゆびかけ（５）でゆびを入れておこす。
〔作用〕
【０００５】本案は、以上のような構造であるから、これを使用するときは、クリトップおこし（１）のゆびかけ（５）で直角ぐらいおこして、ひっぱり上げるようにして、クリトップ（２）の丸みゆびかけ（５′）にゆびがはいるぐらい、あげてやりゆびを入れておこしてのみ口をあける。
〔実施例〕
【０００６】なお、本考案の実施に当って次の如きことができる。
イ）クリトップおこし（１）をストローに使用されている物をつかえば、きれてしまうこともないと思いますし、クリトップと同じアルミ板を使用してもよいと思います。
ロ）女性、子供などでもらくにクリトップ（２）をらくに上げてふうきることができると思ます。
〔考案の効果〕
【０００７】したがって、だれでもらくにクリトップがあがってのみ口をあけることができます。
【図面の簡単な説明】〔図１〕
本考案の実施上面図
〔図２〕
本考案の実施正面断面図
〔図３〕
本考案の実施側面断面図
〔図４〕
本考案のおりたたみ方法（ひらき上面図）
〔図５〕
本考案のおりたたみ方法（ひらき側面図）
〔図６〕
本案のおりたたみ方法（おりたたみ側面図）
〔図７〕
本案の接合部おりたたみ方法（上面図）
〔図８〕
本案の接合部おりたたみ方法（側面図）
〔図９〕
本案の一体化おりたたみ方法（上面図）
〔図１０〕
本案の一体化おりたたみ方法（側面図）
【符号の説明】
１はクリトップおこし
２はクリトップ
３はカン
４は接合部
４′はゆびかけ接合部
５はゆびかけ
５′は丸みゆびかけ
【図１】
0003109932.tif 000003
【図２】
0003109932.tif 000004
【図３】
0003109932.tif 000005
【図４】
0003109932.tif 000006
【図５】
0003109932.tif 000007
【図６】
0003109932.tif 000008
【図７】
0003109932.tif 000009
【図８】
0003109932.tif 000010
【図９】
0003109932.tif 000011
【図１０】
0003109932.tif 000012
【手続補正書】
【提出日】平成16年11月5日(2004.11.5)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
イ）カン（３）の上部に付いているクリトップ（２）にクリトップおこし（１）を設ける。
ロ）クリトップ（２）側の丸みゆびかけ（５）′とクリトップおこし（１）側のゆびかけ（５）を設ける。
ハ）クリトップおこし（１）にゆびかけ接合部（４）′接合部（４）を設ける。
以上の如く構成されたクリトップおこし。
〔請求項２〕
クリトップおこし（１）の片方をなくし丸みゆびかけ（５）′の接合部（４）でクリトップ（２）をつつみ接合した（図中、図７、図８、）請求項１のクリトップおこし。
〔請求項３〕
クリトップ（２）とクリトップおこし（１）を一体化プレスしておりかさねた（図中、図９、図１０）請求項１のクリトップおこし。
【手続補正２】
【補正対象書類名】明細書
【補正対象項目名】全文
【補正方法】変更
【補正の内容】
〔書類名〕明細書
〔考案の名称〕クリトップおこし
〔考案の詳細な説明〕
〔産業上の利用分野〕
〔０００１〕
この考案は、カンをあけるクリトップに、うかせ具を付けた、クリトップおこしに関するものである。
〔従来の技術〕
〔０００２〕
従来、カンのクリトップはゆびが入らずおこしずらくて、大人の私でもたいへんで、女性、子供もたいへんでした。
〔考案が解決しょうとする課題点〕
〔０００３〕
本考案は、その欠点を除いてクリトップをらくにおこして、のみ口をあけられるようにするクリトップを開発しようとするものである。
〔課題を解決するための手段〕
〔０００４〕
いまその解決手段を図面に追いながら説明すれば、
イ）カン（３）の上部についているクリトップ（２）に、プラスチック性（ストロー）板、アルミ性板のクリトップおこし（１）を取り付ける。
ロ）クリトップおこし（１）のゆびかけ（５）にゆびを入れて直角ぐらいにおこしてひっぱり上げて、クリトップ（２）側の丸みゆびかけ（５）′をゆびが入るぐらいまで上げてのみ口をあける。
ハ）クリトップおこし（１）の接合部（４）と、ゆびかけ接合部（４）′をリベット、プレスおりなどで接合するよう設ける。
ニ）図  図中、図７、図８、の方法は
クリトップおこし（１）の片方をなくした丸みゆびかけ（５）′でつつみ接合部（４）をまきこんでリベットどめか、先端部をおりこんでプレスで固定接合するようにする。
ホ）図面中、図９、図１０の方法は、
クリトップ（２）とクリトップおこし（１）を一体化して、丸みゆびかけ（５）′部でおりたたみゆびかけ（５）にゆびを入れておこしのみ口をあける。
〔作用〕
〔０００５〕
本考案は、以上のような構造であるから、これを使用するときは、
イ）クリトップおこし（１）のゆびかけ（５）で直角ぐらいおこしてひっぱり上げるようにしてクリトップおこし（２）の丸みゆびがけ（５）′が、ゆびがはいるぐらいあげてやり、ゆびを入れておこしてのみ口をあける。
ロ）カン（３）ののみ口をあけたらクリトップおこし（２）とクリトップおこし（１）をゆびでおさえて所定の位置にもどしてのむ。
〔実施例〕
〔０００６〕
なお本考案の、実施に当って次の如きことができる。
イ）クリトップおこし（１）にストローなどに使用されているビニール性の板をつかえばコストが安く、また、クリトップ（２）と同じアルミ板をつかってもよい。
ロ）女性、子供などでもらくにクリトップ（２）でのみ口をあけることができる。
〔考案の効果〕
〔０００７〕
したがって、だれでもクリトップおこしを使用すればらくにクリトップ（２）でのみ口をあけることができる。
〔図面の簡単な説明〕
〔図１〕
本考案の実施上面図
〔図２〕
本考案の実施正面断面図
〔図３〕
本考案の実施側面断面図
〔図４〕
本考案の実施ひらき上面図
〔図５〕
本考案の実施ひらき側面図
〔図６〕
本考案の実施おりたたみ側面図
〔図７〕
本考案の接合部おりたたみ方法上面図
〔図８〕
本考案の接合部おりたたみ方法側面図
〔図９〕
本考案の一体化おりたたみ方法上面図
〔図１０〕
本考案の一体化おりたたみ方法側面図
〔符号の説明〕
１はクリトップおこし
２はクリトップ
３はカン
４は接合部
４′はゆびかけ接合部
５はゆびかけ
５′は丸みゆびかけ、